【事件の表示】
　特願２０００−２３７５２９「遊技台」拒絶査定不服審判事件〔平成１４年　２月１２日出願公開、特開２００２−　４５４６７〕について、次のとおり審決する。
【結　論】
　本件審判の請求は、成り立たない。
【理　由】
１．手続の経緯
　本願は、平成１２年８月４日の出願であって、平成１６年１月８日に拒絶査定がなされ、これに対し、同年２月１２日に拒絶査定に対する審判請求がなされるとともに、同年３月９日付けで手続補正がなされたものである。
　　　　　　　　　　　　　　　　　　　　　　　　　　　　　　　　　
２．本願発明
　平成１６年３月９日付けの手続補正（以下、「本件補正」という。）により、特許請求の範囲の請求項１０が削除されるとともに、補正前の請求項２に、補正前の請求項１０に記載されていた事項が付加されて、請求項２が減縮された。
　本件補正は、平成１８年改正前の特許法第１７条の２第４項第１号の特許請求の範囲の削除を目的とするものに該当するとともに、同法第１７条の２第４項第２号の特許請求の範囲の減縮を目的とするものに該当する。
　また、本件補正により、特許請求の範囲の請求項１は変更されておらず、当該請求項１に係る発明は、出願当初の明細書及び図面、並びに、平成１５年１２月２日付け及び平成１６年３月９日付けの手続補正書の記載からみて、本願の特許請求の範囲の請求項１に記載された事項により特定されるとおりの次のものと認められる。（以下、「本願発明」という。）
「複数種類の絵柄を施したリールを複数列備え、メダルまたは玉等の遊技媒体を投入し、ゲームの開始操作により前記複数列のリールをリール絵柄表示窓上で移動を開始させると同時に、制御部の内部抽選により入賞の当否を確定し、各リールに対応した停止操作に対して、前記各リールを、ハズレを含む前記内部抽選の結果に基づいた絵柄の組合せが、前記リール絵柄表示窓上に表示されるように制御して停止させ、停止した前記リール絵柄表示窓上の前記絵柄の組合せが入賞の場合は、前記入賞に対応する所定数の遊技媒体を遊技媒体の払出口から受皿へ払い出す遊技台であって、
　前記受皿を、光を透過させる光透過部材により形成すると共に、受皿発光用光源を備え、該受皿発光用光源から発光される光を前記受皿を形成する光透過部材内を伝播させ、前記光透過部材から外部へ放射させることにより、前記受皿を発光させ、
　前記受皿発光用光源とは異なる受皿照明用光源を更に設け、前記受皿照明用光源で発光される光が前記遊技媒体の払出口の内側から前記受皿上へ放射されて前記受皿を照明するように構成したことを特徴とする遊技台。」
　　　　　　　　　　　　　　　　　　　　　　　　　　　　　　　　　
３．引用発明
　引用刊行物　１．特開平１１−１７８９８０号公報
　　　　　　　２．実願昭６０−１５４１９７号（実開昭６２−６１２７６　　　　　　　　　号）の願書に添付した明細書及び図面の内容を撮影した　　　　　　　　　マイクロフィルム
　　　　　　　３．特開平１１−３１３９５５号公報
　　　　　　　　　　　　　　　　　　　　　　　　　　　　　　　　　
　原査定の拒絶の理由に引用された、本願の出願前に頒布された刊行物である上記の各刊行物には、それぞれ次の発明が記載されている。
　　　　　　　　　　　　　　　　　　　　　　　　　　　　　　　　　
（１）特開平１１−１７８９８０号公報
　特開平１１−１７８９８０号公報（以下、「引用例１」という。）には「遊技機」に関して、以下の記載がある。
1-a「【請求項１】
　遊技媒体払出口とその前方に設置した遊技媒体受皿とを有する遊技機において、該遊技媒体払出口の内側から該遊技媒体受皿に向けて光を照射する照光手段を備えたことを特徴とする遊技機。
・・・
【請求項６】
　前記照光手段は、前記遊技媒体払出口の後側に遊技媒体通路を形成する遊技媒体払出用シュートの下部外側に光源を設け、該光源から前記遊技媒体払出口に向けて光を照射することを特徴とする請求項１記載の遊技機。」（特許請求の範囲の請求項１、請求項６）
1-b「図１は、本発明を適用したスロットマシンを示す。このスロットマシン１は、リールユニット等を収納する本体３（図２参照）と、この本体３に開閉自在に設けられた前扉２とで構成されている。前扉２は・・・フレーム４と、このフレーム４にそれぞれ設けられた表示用パネル５及び化粧用パネル６とから成る。化粧用パネル６には、着色もしくは装飾が施された半透明プラスチック板が用いられており、本体３の内部が外側から見えないようにしている。また、化粧用パネル６の背後には、装飾効果を増すための内部光源として、蛍光灯２０が配置されている。」（段落【００２２】）    
1-c「表示用パネル５には、３つのリール７Ｌ，７Ｃ，７Ｒ上のシンボルを観察するためのリール表示窓８・・・等が設けられている。また、フレーム４にはコイン投入口１０が設けられており、ゲームの開始時に、このコイン投入口１０から遊技媒体のコイン３０（図２参照）を１〜３枚の範囲で投入できる。・・・
　スタートレバー１１が操作されると、各リール７Ｌ，７Ｃ，７Ｒは一斉に回転する。・・・対応する３つのストップボタン１２Ｌ，１２Ｃ，１２Ｒ・・・がそれぞれ操作されると、その操作タイミングに応じて、各リール７Ｌ，７Ｃ，７Ｒの回転がぞれぞれ停止する。」（段落【００２３】【００２４】）
1-d「各リール７Ｌ，７Ｃ，７Ｒ上には、種々のシンボル・・・が記されており、これらシンボルが上記リール表示窓８に表示される。・・・有効化された入賞ライン１３上に並んだ前記シンボルの組み合わせが入賞である場合には、遊技機の内部に設置された周知のホッパー装置（図示省略）が作動し、入賞役に応じた枚数のコイン３０を払い出す。
　すなわち、ホッパー装置から送出されたコイン３０は、前扉２の下側中央に設けられたコイン払出口１４の後側に遊技媒体通路を形成するコイン払出用シュート２２（図３参照）の開口２３に入り、シュート２２内を降下して、コイン払出口１４から本体３の正面下部に設けられたコイン受皿１５内に払い出される。」（段落【００２５】【００２６】）
1-e「或いは図６に示すように、蛍光灯２０とは別の光源２４をコイン払出用シュート２２の外側に設けてもよい。この場合、第２の光源２４として、コイン払出用シュート２２の下部外側に蛍光灯や電球等の発光器を設け・・・ている。・・・
　この例の照光手段は、第２の光源２４からの光が・・・コイン払出用シュート２２内に入り、直接コイン払出口１４から放出され、コイン受皿１５を照明するように構成されている。・・・」（段落【００３２】【００３３】）
1-f「本発明は、上記実施例のようなスロットマシンに限らず、遊技媒体を払い出す遊技機に適用できる。」（段落【００３５】）
　　　　　　　　　　　　　　　　　　　　　　　　　　　　　　　　　
　上記の記載によれば、引用例１（特開平１１−１７８９８０号公報）には、以下の発明（以下、「引用発明１」という）が記載されていると認められる。
「遊技媒体払出口とその前方に設置した遊技媒体受皿とを有し、遊技媒体通路を形成する遊技媒体払出用シュートの下部外側に光源を設け、該光源から前記遊技媒体払出口に向けて光を照射する照光手段を備えた遊技機であって、遊技機としてのスロットマシン１は、リールユニット等を収納する本体３と、この本体３に開閉自在に設けられた前扉２とで構成され、前扉２はフレーム４と、このフレーム４にそれぞれ設けられた表示用パネル５及び化粧用パネル６とから成り、化粧用パネル６の背後には、装飾効果を増すための内部光源として蛍光灯２０が配置され、表示用パネル５には、３つのリール７Ｌ，７Ｃ，７Ｒ上のシンボルを観察するためのリール表示窓８が設けられ、ゲームの開始時にコイン投入口１０から遊技媒体のコイン３０を１〜３枚の範囲で投入し、スタートレバー１１を操作すると、各リール７Ｌ，７Ｃ，７Ｒは一斉に回転し、対応する３つのストップボタン１２Ｌ，１２Ｃ，１２Ｒをそれぞれ操作すると、その操作タイミングに応じて、各リール７Ｌ，７Ｃ，７Ｒの回転がぞれぞれ停止し、有効化された入賞ライン１３上に並んだ前記シンボルの組み合わせが入賞である場合には、入賞役に応じた枚数のコイン３０が送出され、前扉２の下側中央に設けられたコイン払出口１４の後側に遊技媒体通路を形成するコイン払出用シュート２２内を降下して、コイン払出口１４から本体３の正面下部に設けられたコイン受皿１５内に払い出されるものであり、上記蛍光灯２０とは別に設けられている、コイン払出用シュート２２の下部外側の第２の光源２４からの光がコイン払出用シュート２２内に入り、直接コイン払出口１４から放出され、コイン受皿１５を照明するように構成されている、遊技機。」
　　　　　　　　　　　　　　　　　　　　　　　　　　　　　　　　　
（２）実願昭６０−１５４１９７号（実開昭６２−６１２７６号）の願書に　　添付した明細書及び図面の内容を撮影したマイクロフィルム
　実願昭６０−１５４１９７号（実開昭６２−６１２７６号）の願書に添付した明細書及び図面の内容を撮影したマイクロフィルム（以下、「引用例２」という。）には「パチンコ機受け皿」に関して、以下の記載がある。
2-a「パチンコ機枠前面にあるパチンコ球受け皿において，受け皿全体を透光性のある材料で形成し，このように形成された受け皿の内部に発光体を配設，又は受け皿の外部に発光体を配設し，発光体より発光された光によって，受け皿をひからせる・・・パチンコ機受け皿。」（実用新案登録請求の範囲）
2-b「第１図は本考案のパチンコ球受け皿１，１ａをパチンコ機枠１０前面に取りつけた実施例の１例である。パチンコ球受け皿はその構成で透光性の材質を使用しており，その上レンズの効果も有するので発光体が発光したとき，そのひかりはパチンコ球受け皿全体に広がりパチンコ球受け皿全体があかるくひかることになる。」（第３頁第１４−２１行）    
2-c「パチンコ球受け皿の内部に配設された発光体の発光を利用して，パチンコ球受け皿をひからせることが出来る。」（第４頁第３−５行）
2-d「第２図はパチンコ球受け皿を色々な光によって，色々の色彩を出すことのできるための発光体を配設するための取りつけ基盤廻りである。２・・基盤　３・・発光体　４・・連結電線　５・・コネクター　である。２・・の基盤に取りつけられた発光体取りつけベースによって種々の発光体を交換取りつけをすることが出来る。発光入力は　５・・のコネクターを入力源に差し込むことによって，発光体を発光させることが出来る。」（第４頁第８−１７行）
2-e「第３図は発光体基盤と受け皿１との組み合わせの一例を示す。発光体の効率を良くするために受け皿１に発光体が受け皿内部に封入出来るように受け皿と発光体が嵌合するように受け皿の１部に図面に示す１Ｃが加工されている。」（第４頁第１９行−第５頁第３行）
　　　　　　　　　　　　　　　　　　　　　　　　　　　　
　上記の記載によれば、引用例２（実願昭６０−１５４１９７号（実開昭６２−６１２７６号）の願書に添付した明細書及び図面の内容を撮影したマイクロフィルム）には、以下の発明（以下、「引用発明２」という）が記載されていると認められる。
「パチンコ機枠前面に取りつけたパチンコ球受け皿１，１ａ全体を透光性のある材料で形成し，該受け皿１，１ａの内部に発光体を配設し，発光体より発光された光によって，受け皿をひからせるパチンコ機受け皿であって、受け皿１，１ａの１部に発光体３が嵌合する嵌合部１Ｃを設け、基盤２に取りつけられた発光体３取りつけベースを連結電線４を介してコネクター５に連結し，該コネクター５を入力源に差し込むことによって，発光体を発光させる，パチンコ機受け皿。」
　　　　　　　　　　　　　　　　　　　　　　　　　　　　　　　　　
（３）特開平１１−３１３９５５号公報
　特開平１１−３１３９５５号公報（以下、「引用例３」という。）には「スロットマシン」に関して、以下の記載がある。
3-a「　【請求項１】
　遊技媒体払出口とその前方に設置した遊技媒体受皿とを有する遊技機において、前記遊技媒体受皿を照明する照光手段を備え、遊技の結果が入賞態様となったとき前記照光手段を作動させることを特徴とする遊技機。
・・・
　　【請求項３】
　請求項１又は２記載の遊技機において、前記照光手段は、前記入賞態様に応じた所定の照明態様で照明することを特徴とする遊技機。
・・・
　　【請求項６】
　請求項３記載の遊技機において、前記照光手段は複数の発光部材により構成されていることを特徴とする遊技機。
・・・」（特許請求の範囲の請求項１、請求項３、請求項６）
3-b「図１は、本発明を適用したスロットマシンを示す。このスロットマシン１は、リールユニット等を収納する本体３と、この本体３に開閉自在に設けられた前扉２とで構成されている。この前扉２は・・・フレーム４と、このフレーム４にそれぞれ設けられた表示用パネル５及び化粧用パネル６とからなる。・・・」（段落【００２８】）
3-c「表示用パネル５には、３つのリール７Ｌ，７Ｃ，７Ｒ上のシンボルを観察するためのリール表示窓８が設けられている。また、フレーム４にはコイン投入口１０が設けられており、ゲームの開始時に、このコイン投入口１０から遊技媒体のコインを１〜３枚の範囲で投入できる。・・・
　スタートレバー１１が操作されると、各リール７Ｌ，７Ｃ，７Ｒは一斉に回転する。・・・対応する３つのストップボタン１２Ｌ，１２Ｃ，１２Ｒ・・・がそれぞれ操作されると、その操作タイミングに応じて、各リール７Ｌ，７Ｃ，７Ｒの回転がぞれぞれ停止する。」（段落【００３０】【００３１】）
3-d「各リール７Ｌ，７Ｃ，７Ｒには、種々のシンボル・・・が記されており、これらシンボルが上記リール表示窓８に表示される。・・・有効化された入賞ライン９上に並んだシンボルの組み合わせが入賞態様である場合には、遊技機の内部に設置された周知のホッパー装置（図示省略）が作動し、入賞役に応じた枚数のコインを払い出す。
　すなわち、ホッパー装置から送出されたコインは、前扉２の下側中央に設けられたコイン払出口１３の後側に遊技媒体通路を形成するコイン払出用シュート２２（図２参照）の排出口２２ａに入り、コイン払出用シュート２２内を降下して、コイン払出口１３から本体３の正面下部に設けられたコイン受皿１４内に払い出される。」（段落【００３２】【００３３】）
3-e「この実施例では、図２に示すように、コイン受皿１４を照明するために、化粧用パネル６の内側下部に照明ランプ２０を設け、後述の制御部によって適宜のタイミングで点灯又は消灯が制御できるように構成している。・・・」（段落【００３４】）
3-f「図３は、本発明の別の実施例を示す。この実施例では、前述のコイン払出用シュート２２の後側下方にコイン受皿１４を照明する照光手段として第２照明ランプ２３を設け、上記の照明ランプ２０と同様に後述の制御部によって適宜のタイミングで点灯又は消灯が制御できるように構成している。」（段落【００４４】）
3-g「以上が２種類の照明ランプ２０及び第２照明ランプ２３による、照明の具体的態様であるが、この２種類の照光手段（照明ランプ２０及び第２照明ランプ２３）を併存させ、両照光手段によって同時に照明するようにすれば、さらに高い演出効果が得られ、また入賞態様に応じて２種類の照光手段を切り換えて照明するようにすれば、さらに変化に富んだ演出が可能となる。」（段落【００５４】）
　　　　　　　　　　　　　　　　　　　　　　　　　　　　　　　　　
　上記の記載によれば、引用例３（特開平１１−３１３９５５号公報）には、以下の発明（以下、「引用発明３」という）が記載されていると認められる。
「遊技媒体払出口とその前方に設置した遊技媒体受皿とを有する遊技機において、前記遊技媒体受皿を照明する、複数の発光部材により構成されている照光手段を備え、遊技の結果が入賞態様となったとき前記照光手段を作動させる遊技機であって、遊技機としてのスロットマシン１は、リールユニット等を収納する本体３と、この本体３に開閉自在に設けられた前扉２とで構成され、前扉２はフレーム４と、このフレーム４にそれぞれ設けられた表示用パネル５及び化粧用パネル６とから成り、化粧用パネル６の背後には、装飾効果を増すための内部光源として蛍光灯２０が配置され、表示用パネル５には、３つのリール７Ｌ，７Ｃ，７Ｒ上のシンボルを観察するためのリール表示窓８が設けられ、ゲームの開始時にコイン投入口１０から遊技媒体のコイン３０を１〜３枚の範囲で投入し、スタートレバー１１を操作すると、各リール７Ｌ，７Ｃ，７Ｒは一斉に回転し、対応する３つのストップボタン１２Ｌ，１２Ｃ，１２Ｒをそれぞれ操作すると、その操作タイミングに応じて、各リール７Ｌ，７Ｃ，７Ｒの回転がそれぞれ停止し、有効化された入賞ライン１３上に並んだ前記シンボルの組み合わせが入賞である場合には入賞役に応じた枚数のコインが送出され、前扉２の下側中央に設けられたコイン払出口１３の後側に遊技媒体通路を形成するコイン払出用シュート２２内を降下して、コイン払出口１３から本体３の正面下部に設けられたコイン受皿１４内に払い出されるものであり、コイン受皿１４を照明するために、化粧用パネル６の内側下部に照明ランプ２０を設け、また、コイン払出用シュート２２の後側下方にコイン受皿１４を照明する照光手段として第２照明ランプ２３を設け、以上の２種類の照明ランプ２０及び第２照明ランプ２３による２種類の照光手段を併存させ、両照光手段によって同時に照明するようにすれば、さらに高い演出効果が得られ、また入賞態様に応じて２種類の照光手段を切り換えて照明するようにすれば、さらに変化に富んだ演出が可能となる、遊技機。」
　　　　　　　　　　　　　　　　　　　　　　　　　　　　　　　　　
４．対比 　 　 
　本願発明と引用発明１とを対比すると、引用発明１における「シンボル」は本願発明における「絵柄」に対応しており、同様に、「リール表示窓８」は「リール絵柄表示窓」に、「スタートレバー１１」の「操作」は「ゲームの開始操作」に、「３つのリール７Ｌ，７Ｃ，７Ｒ」は「複数列のリール」に、「コイン払出口１４」は「払出口」に、「コイン受皿１５」は「受皿」に、「遊技機」は「遊技台」に、それぞれ対応しており、さらに引用発明１について次のことがいえる。
(i)  引用発明１は、「３つのリール７Ｌ，７Ｃ，７Ｒ上のシンボルを観察するためのリール表示窓８が設けられ、ゲームの開始時にコイン投入口１０から遊技媒体のコイン３０を１〜３枚の範囲で投入し、スタートレバー１１を操作すると、各リール７Ｌ，７Ｃ，７Ｒは一斉に回転」（摘示1-c）するものである。
　すなわち、同引用発明１は、複数種類の「シンボル」（本願発明における「絵柄」に対応する。）を施した「３つのリール７Ｌ，７Ｃ，７Ｒ」（本願発明における「複数列のリール」に対応する。）を備え、「遊技媒体」である「コイン３０」を投入し、「スタートレバー１１を操作」してゲームの開始操作を行うと、前記した「３つのリール７Ｌ，７Ｃ，７Ｒ」（「複数列のリール」）は「一斉に回転」することで、「リール表示窓８」（本願発明における「リール絵柄表示窓」に対応する。）上で移動を開始するものである。
　そうすると、引用発明１は、本願発明を特定する「複数種類の絵柄を施したリールを複数列備え、メダルまたは玉等の遊技媒体を投入し、ゲームの開始操作により前記複数列のリールをリール絵柄表示窓上で移動を開始させ」の事項に対応する構成を備えている。
　　　　　　　　　　　　　　　　　　　　　　　　　　　　　　　　　
(ii) 一般に遊技機において、ゲームの開始操作により複数列のリールが移動を開始すると同時に、制御部の内部抽選により入賞の当否を確定することは例示するまでもなく自明な事項であり、引用発明１においても、「スタートレバー１１を操作」してゲームの開始操作を行い、「３つのリール７Ｌ，７Ｃ，７Ｒ」（「複数列のリール」）を「一斉に回転」させると同時に、制御部の内部抽選により入賞の当否を確定することは当業者にとって自明な事項である。
　さらに同引用発明１において、「３つのストップボタン１２Ｌ，１２Ｃ，１２Ｒをそれぞれ操作すると、その操作タイミングに応じて、各リール７Ｌ，７Ｃ，７Ｒの回転がぞれぞれ停止」（摘示1-c）するものであり、「各リール７Ｌ，７Ｃ，７Ｒ」に対応した上記「ストップボタン１２Ｌ，１２Ｃ，１２Ｒ」の停止操作に対して、ハズレを含む前記内部抽選の結果に基づいた「シンボル」（「絵柄」）の組合せが、前記「リール表示窓８」（「リール絵柄表示窓」）上に表示されるように制御して停止させるものであることも、同様に自明な事項である。　
　そうすると、引用発明１は、本願発明を特定する「（複数列のリールをリール絵柄表示窓上で移動を開始させる）と同時に、制御部の内部抽選により入賞の当否を確定し、各リールに対応した停止操作に対して、前記各リールを、ハズレを含む前記内部抽選の結果に基づいた絵柄の組合せが、前記リール絵柄表示窓上に表示されるように制御して停止させ」の事項に対応する構成を実質的に備えている。
　　　　　　　　　　　　　　　　　　　　　　　　　　　　　　　　　
(iii) 引用発明１は、「有効化された入賞ライン１３上に並んだ前記シンボルの組み合わせが入賞である場合には、入賞役に応じた枚数のコイン３０が送出され」（摘示1-c、1-d）るものである。
　すなわち、同引用発明１は、停止した「リール表示窓８」（「リール絵柄表示窓」）上の「シンボル」（「絵柄」）の組合せが入賞の場合は、前記入賞に対応する所定数の「遊技媒体」である「コイン３０」を「遊技媒体」の「コイン払出口１４」（本願発明における「払出口」に対応する。）から「コイン受皿１５」（本願発明における「受皿」に対応する。）へ払い出す「遊技機」（本願発明における「遊技台」に対応する。）である。
　そうすると、引用発明１は、本願発明を特定する「停止した前記リール絵柄表示窓上の前記絵柄の組合せが入賞の場合は、前記入賞に対応する所定数の遊技媒体を遊技媒体の払出口から受皿へ払い出す遊技台」の事項に対応する構成を備えている。
　　　　　　　　　　　　　　　　　　　　　　　　　　　　　　　　　
(iv) 引用発明１は、「コイン払出用シュート２２の下部外側の第２の光源２４からの光がコイン払出用シュート２２内に入り、直接コイン払出口１４から放出され、コイン受皿１５を照明するように構成されている」（摘示1-e）ものであり、「第２の光源２４」はその機能に照らすと本願発明における「受皿照明用光源」に対応するものであるとともに、上記「第２の光源２４」で発光される光が「直接コイン払出口１４から放出され、コイン受皿１５を照明する」ことから、「コイン払出口１４」（本願発明における「払出口」に対応する。）の内側から「コイン受皿１５」（本願発明における「受皿」に対応する。）上へ放射されて前記「コイン受皿１５」（「受皿」）を照明するものといえる。
　そうすると、引用発明１は、本願発明を特定する「受皿照明用光源を設け、前記受皿照明用光源で発光される光が前記遊技媒体の払出口の内側から前記受皿上へ放射されて前記受皿を照明するように構成した」の事項に対応する構成を備えている。                                    
　　　　　　　　　　　　　　　　　　　　　　　　　　　　　　　　　
　以上の事項より、本願発明と引用発明１とは以下の点で一致し、また、相違していると認められる。
一致点；
　複数種類の絵柄を施したリールを複数列備え、メダルまたは玉等の遊技媒体を投入し、ゲームの開始操作により前記複数列のリールをリール絵柄表示窓上で移動を開始させると同時に、制御部の内部抽選により入賞の当否を確定し、各リールに対応した停止操作に対して、前記各リールを、ハズレを含む前記内部抽選の結果に基づいた絵柄の組合せが、前記リール絵柄表示窓上に表示されるように制御して停止させ、停止した前記リール絵柄表示窓上の前記絵柄の組合せが入賞の場合は、前記入賞に対応する所定数の遊技媒体を遊技媒体の払出口から受皿へ払い出す遊技台であって、受皿照明用光源を設け、前記受皿照明用光源で発光される光が前記遊技媒体の払出口の内側から前記受皿上へ放射されて前記受皿を照明するように構成した遊技台、である点。
　　　　　　　　　　　　　　　　　　　　　　　　　　　　　　　　　
相違点；                             
 本願発明は、受皿を、光を透過させる光透過部材により形成すると共に、受皿発光用光源を備え、該受皿発光用光源から発光される光を前記受皿を形成する光透過部材内を伝播させ、前記光透過部材から外部へ放射させることにより、前記受皿を発光させるものであり、受皿照明用光源は、該受皿発光用光源とは異なる光源を更に設けたものであるのに対して、引用発明１は、受皿を光透過部材により形成するものではなく、受皿発光用光源を備えておらず、受皿照明用光源のみを設けたものである点。　　　　　　　　　　　　　　　　　　　　　　　　　　　　　　　　　　　　　　　　　　　　
５．判断
　上記の相違点について検討する。
　引用発明２は、遊技媒体であるパチンコ球を受ける「パチンコ球受け皿１，１ａ」を、「透光性のある材料で形成」すると共に、「受け皿の内部に発光体を配設し、発光体より発光された光によって、受け皿をひからせる」ものであり、「発光体より発光された光」は「透光性のある材料」内を伝播し、前記「透光性のある材料」から外部へ放射されることにより「受け皿をひからせる」ものであるから、同引用発明２は、本願発明における「受皿を、光を透過させる光透過部材により形成すると共に、受皿発光用光源を備え、該受皿発光用光源から発光される光を前記受皿を形成する光透過部材内を伝播させ、前記光透過部材から外部へ放射させることにより、前記受皿を発光させ」る点を開示している。
　ところで、引用発明３は、「遊技媒体払出口とその前方に設置した遊技媒体受皿とを有する遊技機において、前記遊技媒体受皿を照明する、複数の発光部材により構成されている照光手段を備えた遊技機」を開示しており、「複数の発光部材」とは、具体的には、「コイン受皿１４を照明する」ための「化粧用パネル６の内側下部」に設けた「照明ランプ２０」と「コイン払出用シュート２２の後側下方にコイン受皿１４を照明する照光手段」として設けた「第２照明ランプ２３」より成るものである。
　すなわち、「遊技媒体受皿」を二種類の「照光手段」により照明することは、引用発明３に示されるように本願発明の出願前に行われており、引用発明３が開示する上記の技術事項を参酌し、引用発明１において、「第２の光源２４」（「受皿照明用光源」）に加えて、「第２の光源２４」（「受皿照明用光源」）とは異なる、引用発明２が開示する受皿の「発光手段」（本願発明における「受皿発光用光源」に対応する。）を設けて、「遊技媒体受皿」を二種類の「照光手段」により照明することは、当業者であれば容易になし得ることである。
　そうすると、引用発明１は二種類の「照光手段」を備えることで、受皿の「発光手段」とは異なる「第２の光源２４」（「受皿照明用光源」）を「更に」設けた、と表現され、上記相違点に係る本願発明の発明特定事項が得られることとなる。
　そして、本願発明が奏する効果も、引用発明１並びに引用発明２及び引用発明３が奏する効果の範囲内のものであって、格別顕著なものとはいえない。
　したがって、本願発明は、引用発明１並びに引用発明２及び引用発明３に基づいて当業者が容易に想到することができたものである。
　　　　　　　　　　　　　　　　　　　　　　　　　　　　　　　　　
６．むすび
　以上のとおりであるから、本願発明は、引用発明１並びに引用発明２及び引用発明３に基づいて当業者が容易に発明をすることができたものであるから、特許法第２９条第２項の規定により特許を受けることができない。
　よって、本願の他の請求項について論じるまでもなく、結論のとおり審決する。